(57)【特許請求の範囲】
【請求項１】
使用した水を床面で受けるウエットスペースとドライスペースとを備えるサニタリールームの防水床であって、
前記ウエットスペースと前記ドライスペースの境界に沿って延び、前記ウエットスペースの床面上を流れる走り水が前記ドライスペースへ越入することを抑制する凸条を備え、前記凸条は、周囲の床面との実質段差が１ｍｍ以上３ｍｍ以下であり、床面の同一傾斜部に存する部分の全長に亘り連続して延びることを特徴とする防水床。
【請求項２】
前記凸条を、前側の凸条と、後側の凸条に分断する排水口を備える請求項1に記載の防水床。
【請求項３】
前記凸条を前側の凸条と後側の凸条に分断する凸条のない平坦面からなる分断部と、
前記分断部のウエットスペース側に隣接して設けられる排水口とを備える請求項1に記載の防水床。
【請求項４】
前記凸条は、前記ウエットスペース、又は前記ドライスペースの凹凸パターンと異なる形状を有する請求項1に記載の防水床。
【請求項５】
前記凸条が複数本平行に設けられている請求項１から請求項４のいずれか１項に記載の防水床。
【請求項６】
前記凸条は、長手方向に垂直な断面が略台形状をなし、当該断面の入隅及び出隅の曲率
半径が２．５ｍｍ以上３．５ｍｍ以下に形成されている請求項１から請求項５のいずれか１項に記載の防水床。
【発明の詳細な説明】
【技術分野】
【０００１】
この発明は、トイレ等通常床面をドライな状態で使用するドライスペースと、シャワーや洗面台で使用した水を床面で受けるウエットスペースとを備える防水床、及び該防水床を用いたサニタリールームに関する。
【背景技術】
【０００２】
従来、上述したようなドライスペースとウエットスペースとを一室に設けたサニタリールームが広く普及している。かかるサニタリールームでは、シャワーやバスから飛散した水がドライスペースの床を濡らさないように、両スペースの境界に沿ってカーテンが設けられている。
【０００３】
ところが、カーテンで仕切るだけではシャワー等から床に落ちた走り水がカーテンの下を潜ってドライスペースまで流れ込んでしまうため、例えば、特許文献１のサニタリールームでは、ウエットスペースからの走り水がドライスペースへ侵入しないよう両スペースの境界に沿ってグレーチングにより蓋がされた排水溝が設けられている。
【先行技術文献】
【特許文献】
【０００４】
【特許文献１】特開２００１−１０７４６９号公報
【発明の概要】
【発明が解決しようとする課題】
【０００５】
しかし、特許文献１のサニタリールームでは、グレーチングや排水溝の入隅部に汚れが付着するため、清掃に手間がかかるとともに不衛生になりやすいという問題がある。
本発明は、上記課題に鑑みてなされたものであり、清掃が容易で衛生的な構造でウエットスペースからドライスペースへの越入水を抑制できる防水床、及び該防水床を用いたサニタリールームの提供を目的とする。
【課題を解決するための手段】
【０００６】
上記課題を解決するためになされた発明は、使用した水を床面で受けるウエットスペースとドライスペースとを備えるサニタリールームの防水床であって、前記ウエットスペースと前記ドライスペースの境界に沿って延び、前記ウエットスペースの床面上を流れる走り水が前記ドライスペースへ越入することを抑制する凸条を備え、前記凸条は、周囲の床面との実質段差が１ｍｍ以上３ｍｍ以下であり、床面の同一傾斜部に存する部分の全長に亘り連続して延びることを特徴とする。
ここで「実質段差」とは、凸条周囲の床面に滑り止め等の凹凸パターンが無い場合は、基底面と凸条頂部との高低差をいい、凸条周囲の床面に滑り止め等の凹凸パターンが有る場合は、凹凸パターンの最も高い部位と凸条の最も高い部分との高低差をいうものとし、「基底面」とは、凸条周囲の床面において、傾斜方向に垂直な断面における最も低い面をいうものとする。
【０００７】
本発明に係る防水床では、このように、ウエットスペースとドライスペースの境界に沿って設けた凸条により、ウエットスペースの床を流れる走り水がドライスペースへ越入す
ることを抑制するようにしたので、排水溝を設けたものに比べて、汚れが溜まったり、不衛生になったりすることを抑制できる。また、凸条の周囲の床面との実質段差を１ｍｍ以上とすることで、凸条を乗り越える水を抑制することができ、３ｍｍ以下とすることで高齢者が凸条に躓くことを抑制できる。
また、本発明は、前記凸条を、前側の凸条と、後側の凸条に分断する排水口を備えるようにしてもよいし、前記凸条を前側の凸条と後側の凸条に分断する凸条のない平坦面からなる分断部と、前記分断部のウエットスペース側に隣接して設けられる排水口とを備えるようにしてもよく、前記凸条は、前記ウエットスペース、又は前記ドライスペースの凹凸パターンと異なる形状を有することが好ましい。
【０００８】
本発明の防水床パンは、前記凸条が複数本平行に設けられていることが好ましい。こうすることで、１本目の凸条を乗り越えた走り水を２本目以降の凸条により堰き止めることができるため、より効果的に走り水がドライスペースに侵入することを抑制できる。
【０００９】
前記凸条は、長手方向に垂直な断面が略台形状をなし、当該断面の入隅及び出隅の曲率半径が２．５ｍｍ以上３．５ｍｍ以下に形成されていることが好ましい。この入隅の曲率半径が、２．５ｍｍ未満であると、入隅部に汚れが溜まりやすくなる虞があり、３．５ｍｍを越えると、走り水が凸条を乗り越えやすくなる虞がある。また、この出隅の曲率半径が、２．５ｍｍ未満であると踏んだ際に足が痛くなる可能性があり、３．５ｍｍを越えると、走り水が凸条を乗り越えやすくなる虞がある。
【００１０】
本発明は、前記のような凸条を有する防水床と、前記凸条に沿って開閉自在に設けられるカーテンと、を備え、前記凸条は、閉じた状態の前記カーテンより、全てドライスペース側に設けられているサニタリールームを含む。このように、全ての凸条をカーテンよりドライスペース側に設けることで、カーテンのウエットスペース側の面を伝って落ちる水を全てウエットスペースに落とすことができる。
【発明の効果】
【００１１】
以上説明したように、本発明の防水床によれば、ウエットスペースからドライスペースへの走り水の流入を清掃が容易で衛生的な構成により抑制することができる。
【図面の簡単な説明】
【００１２】
【図１】本発明の第１実施形態に係るサニタリールームの平面図である。
【図２】図１に示した凸条の長手方向に垂直な断面図である。
【図３】図１のサニタリールームの支持部周辺を示す側面視要部断面図である。
【図４】本発明の第２実施形態に係るサニタリールームの平面図である。
【発明を実施するための形態】
【００１３】
以下、適宜図面を用いながら本発明の実施形態について詳述する。ただし、本発明は、以下の実施形態に限定されるものではない。
【００１４】
（第１実施形態）
図１は、本発明の第１実施形態に係るユニット式のサニタリールーム１００を示している。サニタリールーム１００は、防水床パン（特許請求の範囲の「防水床」）１と、防水床パン１の周縁の左右（図１の左右）と後方（図１の上方）の三方に立設される壁パネル２と、防水床パン１周縁の前方（図１の下方）に立設されるスライドドア３と、壁パネル２、及びスライドドア３の上端に周縁を連結される天井パネル（不図示）と、防水床パン１を支持する支持部８とを備え、１室に形成された室内にシャワーと洗面台を備えたウエットスペース４１と、洋式便器を備えたドライスペース４２とを有し、両スペース４１，４２の境界に沿って開閉するカーテン５が設けられている。
【００１５】
防水床パン１は、図１に示すように、ＦＲＰにより平面視で矩形をなすよう一体成型され、左右方向の中央を前後に延びる３列６本の平行な凸条１１（１１１，１１２）が設けられている。
【００１６】
また、防水床パン１のやや後方寄りで、前側３本の凸条１１１と後側３本の凸条１１２を分断するように矩形の排水口１２が設けられている。
【００１７】
防水床パン１の周縁部１３（図３参照）を除いた中央部分１４は、排水溝１２の角部から延出する４本の境界線１５ａ，１５ｂ，１５ｃ，１５ｄによって分断され排水口１２に向かって下るよう傾斜する傾斜部１４ａ，１４ｂ，１４ｃ，１４ｄを有しており、排水口１２より前側の３本の凸条１１１は、傾斜部１４ａの傾斜方向に延び、排水口１２より後側の３本の凸条１１２は傾斜部１４ｃの傾斜方向に沿って延びている。
【００１８】
このように、排水口１２が、凸条１１１，１１２の傾斜下方側の端部に隣接して、かつ凸条１１１，１１２の延長上に設けられているため、凸条１１１，１１２に沿って流れる水を効率よく排水口へ流すことができる。
【００１９】
凸条１１は、周囲の床面からの実質段差Ｈ２（図２参照）が１ｍｍ以上３ｍｍ以下であることが好ましい。実質段差Ｈ２が３ｍｍを超えると、高齢者が凸条１１に躓く虞がある。また、実質段差Ｈ２を１ｍｍ未満とすると、ウエットスペース４１からドライスペース４２への越入水を効果的に抑制できない虞がある。また、凸条１１の基底面からの高さＨ１（図２参照）は、３ｍｍ以上が好ましい。高さＨ１が、３ｍｍ未満であると、谷部１６で越入水を少量しか捕えることができないため、ドライスペース４２への越入水を十分に抑制できない虞がある。
【００２０】
また、凸条１１は、図２に示すように、長手方向に垂直な断面が略台形状を有し、裾部の入隅１１ａと上面両端縁の出隅１１ｂが角丸に形成されている。入隅１１ａ断面の曲率半径Ｒ１、及び出隅１１断面の曲率半径Ｒ２は、共に２．５ｍｍ以上３．５ｍｍ以下であることが好ましい。入隅断面の曲率半径が２．５ｍｍ以上であればスポンジ等で入隅を容易に清掃することができる。また、出隅断面の曲率半径Ｒ２が２．５ｍｍ以上であれば、出隅１１ｂを踏んだ際に足に痛みを感じにくい。入隅１１ａ、出隅１１ｂが３．５ｍｍを越えると、凸条１１の表面積が小さくなって、走り水が凸条１１を乗り越え易くなる虞がある。
【００２１】
さらに、凸条１１間のピッチＰ（図２参照）は１４ｍｍ以上であることが好ましい。このピッチが１４ｍｍ未満であると、人が足で踏んだ際に痛みを感じる虞がある。
【００２２】
凸条１１は、本実施形態の３列に限らず、２列以下でも４列以上でもよいが、２列以上が好ましく、３列以上がより好ましい。凸条１１が２列以上であると隣接する凸条１１の間に谷部１６が形成されるため、凸条１１を乗り越えた水を、この谷部１６に沿って排水口１２へと導くことができる。凸条１１が３列以上であると、ウエットスペース４１からドライスペース４２へ流れ込もうとする水を十分に抑制することができる。また、凸条１１は場所により列数が異なってもよい。こうすることで、走り水が乗り越えやすい位置の凸条１１の列数を多くして、効果的に走り水を抑制できる。
【００２３】
カーテン５は、図１に仮想線で示したように、閉じた際に最もウエットスペース４１側の凸条１１より、平面視でウエットスペース４１側に位置するよう取り付けられている。こうすることで、カーテン５のウエットスペース４側の面を流れ落ちる水を、全てウエットスペースに落すことができる。
【００２４】
図３は、防水床パン１の下側を示している。防水床パン１は、支持部８により支持されるとともに、裏面側には、防水床パン１の変形を防止して傾斜部１４の正確な傾斜を確保するために補強用の鋼鈑６や角鋼管７が適宜の場所に固着されている。
【００２５】
支持部８は、防水床パン１の前後方向（図３の左右方向）に延び、スライドドア３側から見て左右方向（図１の左右方向）に並列に配される３本の支持フレーム８１と、各支持フレーム８１の両端部に垂設されるレベルアジャスター８２，８３を備えている。支持フレーム８１は角鋼管からなり、前端部が防水床パン１の下方に収容されているのに対し、後端部は防水床パン１の後方へ延出している。支持フレーム８１は、一例で５０ｍｍ角の角鋼管が用いられ、肉厚２．３ｍｍ以上が好ましい。また、図示はしないが、支持フレーム８１の下面に、防水床パン１を搬入する際に手がかりとするボルトを取り付けるための貫通ナットを適宜の場所に固設しておくこともできる。
【００２６】
レベルアジャスター８２は、防水床パン１の下方において、支持フレーム８１の前端部に取り付けられ、薄皿状の接地部８２１と、接地部８２１の中心に頭部が固設されて脚部が支持フレーム８１内に突出するボルト部材８２２と、支持フレーム８１の下面に固着されたナット８２３と、緩み止めナット８２４とを備えている。
【００２７】
レベルアジャスター８３は、防水床パン１の後方（例えば、軸心が防水床パン１の後端縁より２０ｍｍ〜１００ｍｍ後方）へ延出した支持フレーム８１の後端部に取り付けられており、接地部８３１と、接地部８３１の中心に頭部が固設されて脚部が支持フレーム８１を上下方向へ貫通するボルト部材８３２と、支持フレーム８１の下面に固着されたナット８３３と、緩み止めナット８３４と、パイプ８３５を介してボルト部材８３２を支持フレーム８１に対し回り止めする緩み止めナット８３６とを備えている。そして、ボルト部材８３２の脚部先端部における防水床パン１の周縁部１３よりも上方の位置に、ドライバーを挿通してボルト部材８３２を回動操作するために、φ８ｍｍ以上の貫通孔８３２ａが設けられている。
【００２８】
ここで、本実施形態の支持部８と比較するために、従来の防水床パンの支持構造について説明すると、従来の防水床パンでは、奥側に設けられるレベルアジャスターも防水床パンの下方に設けられており、建物躯体の壁と防水床パンの間から手をまわしてボルト部材を回動する必要があり、防水床パンに作業者が乗った状態で回動することはできなかった。また、従来の防水床パンでは、前後方向の中間位置にもレベルアジャスターが設けられており、この中間位置のレベルアジャスターは、ボルトを回動させられないため接地部の下方にあらかじめ敷設しておいたドレンタイト（登録商標）等の樹脂接着剤やセメント等を硬化させることで、防水床パンのレベル調節を行っていた。この樹脂接着剤等が硬化するまでに作業者が防水床パンに乗ると、防水床パンが撓んだ状態で中間部分のレベルアジャスターが固着され、レベルアジャスターの床からの浮き上がりや、防水床パンの床鳴りが問題となっていた。
【００２９】
そこで、本発明のサニタリーユニット１００では、上述したように、後側のレベルアジャスター８３を防水床パン１の後方に配し、その貫通孔８３２ａを、防水床パン１の周縁部１３よりも上方の位置に設けることで、作業者が防水床パン１に乗った状態でレベルアジャスター８３の高さ調整を行うことができるようにしている。これにより、防水床パン１の設置をスムーズに行うことができる。
【００３０】
また、本発明のサニタリーユニット１００では、前後方向の中間位置のレベルアジャスターは省略して、前後のレベルアジャスター８２，８３のみで防水床パンのレベル調節を行い、鋼鈑６や角鋼管７、支持フレーム８１で補強することで、防水床パン１の撓みを防止するようにしている。これにより、谷部１６に撓みが生じて水が溜まることを抑制できる。
【００３１】
尚、レベルアジャスター８３は、ドライバーを差し込む貫通孔８３２ａの代わりにボルト部材８３２先端を四角又は六角に加工して、レンチやスパナで回動するようにしてもよい。
【００３２】
上記のような構成を有するユニット式サニタリールーム１００において、ウエットスペース４１で水を使用すると、床面（防水床パン１上面）を流れる水の一部が凸条１１を乗り越えようとする。このとき、水の量が少ない場合や水の勢いが弱い場合は、水はウエットスペース４１側から１つ目の凸条１１に衝突してもこれを乗り越えず、排水口１２の方へ流下して排出される。使用した水の量が多い場合や水の勢いが強い場合、水がウエットスペース４１側から１つめの凸条１１を乗り越えて、１つ目の凸条１１と２つ目の凸条１１の間の谷部１６に流入する。谷部１６へ流入した水は、谷部１６が傾斜部１４ａの傾斜方向に沿って延びるため、谷部１６に沿って排水口１２へと流される。さらに水の量が多い場合や、水の勢いが強い場合、水はウエットスペース４１から２番目の凸条１１を乗り越えてウエットスペース４１側から２つ目の谷部１６へ流入する。しかしながら、ユニット式サニタリールーム１００では、凸条１１を３本備えるため、ウエットスペース４１からの走り水がドライスペース４２へ流入することを効果的に抑制できる。
【００３３】
（第２実施形態）
図４は、本発明の第２実施形態に係るユニット式サニタリールーム２００である。ユニット式サニタリールーム２００は、室内外の空間を有効利用するために防水床パン２０１及び室内空間を平面視で五角形に形成するとともに、洋式便器を斜めに配している。
尚、第２実施形態において第１実施形態と実質的に共通する部材については、同一符号を付して説明を省略する。
【００３４】
防水床パン２０１は、左右方向の中央ややドライスペース２４２よりに、前後方向（図４の上下方向）に延びる前側３本の凸条２１１１、と後側３本の凸条２１１２とが設けられている。前側の凸条２１１１と後側の凸条２１１２の間には、凸条のない平坦面からなる分断部２１１ｃが設けられており、分断部２１１ｃのウエットスペース側に隣接して矩形の排水口２１２が形成されている。
【００３５】
防水床パン２０１は、排水口２１２の四方に、排水溝２１２の角部から延出する４本の境界線２１５ａ，２１５ｂ，２１５ｃ，２１５ｄによって分断され排水口２１２に向かって下るよう傾斜する傾斜部２１４ａ，２１４ｂ，２１４ｃ，２１４ｄを有している。前側の凸条２１１１が傾斜部２１４ａの傾斜方向に延び、後ろ側の凸条２１１２が傾斜部２１４ｃの傾斜方向に沿って延びている。
【００３６】
排水口２１２は、最もウエットスペース２４１寄りの前側の凸条２１１１と後ろ側の凸条２１１２の傾斜下方側となる端縁のウエットスペース２４１側に隣接する位置に設けられている。こうすることで、最もウエットスペース２４１寄りの凸条２１１１と２１１２との間隔が、排水口２１２の前後方向の端辺より小さくなり、ウエットスペース２４１側から排水口２１２の蓋２１２ａを乗り越えてドライスペース２４２側へ走り水が流入することを効果的に抑制することができる。
【００３７】
また、図４に示すように、分断部２１１ｃにおける凸条２１１１と凸条２１１２との間隔は、ウエットスペース２４１側からドライスペース２４２側にかけて徐々に広くなるよう構成されている。こうすることで、ドライスペース２４２側で清掃時等に床へ流した水が排水口２１２へ効果的に流入することができる。
【００３８】
本発明の防水床パン、及びサニタリールームは、上記の実施形態に限られるものではなく、例えば、凸条は、直線状に限らず曲線状に設けてもよいし、折線状に設けてもよく、排水口の一方にのみ設けもよい。ウエットルームをバスルームとしてもよい。第２実施形態において、前後の凸条間の間隔を全ての列で同じにしてもよい。
【符号の説明】
【００３９】
１００，２００  サニタリールーム
１，２０１  防水床パン（防水床）
１１（１１１，１１２），２１１（２１１１，２１１２）  凸条
１１ａ  入隅
１１ｂ  出隅
４１，２４１  ウエットスペース
４２，２４２  ドライスペース
５  カーテン
Ｈ２  実質段差
【図１】
0006319742.tif 000002
【図２】
0006319742.tif 000003
【図３】
0006319742.tif 000004
【図４】
0006319742.tif 000005